(57)【要約】  【課題】サッシやカーテンウォール等の窓部において、横枠の断面形状が構造的かつ意匠的に制約を受けることがないとともに、室外側に形成される外気導入口と室内側に形成される換気口との高低差を大きく取ることができ、雨水等の浸入を確実に防止する。  【解決手段】左右方向に隣接するパネル間に配置される方立２内部に適宜の間隔で仕切り部材１５，１５…を配設し、縦方向の空間Ａ、Ｂ…を画成する。そして、前記仕切り部材１５，１５…によって仕切られた各縦方向空間部Ａ、Ｂ…において、方立２の室外側壁面に外部空間と連通する外気導入口２ｆを形成するとともに、方立２の室内側であってかつ前記外気導入口２ｆよりも高い位置に室内空間と連通する室内側換気口２ｇを形成し、かつ前記室内側換気口２ｇを開放又は閉鎖する開閉装置１６を設ける。【選択図】図６
2006316606.tif 000002
【特許請求の範囲】
【請求項１】
左右方向に隣接するパネル間に配置される方立内部に縦方向の空間を画成し、前記縦方向空間を画成する室外側に外部空間と連通する外気導入口を形成するとともに、前記外気導入口よりも高い位置に室内空間と連通する室内側換気口を形成し、かつ前記室内側換気口又は室内側換気口から室内に至る連通路を開放又は閉鎖する開閉装置を設けたことを特徴とする窓部における換気構造。
【請求項２】
前記縦方向空間内を高さ方向に適宜の間隔で仕切るとともに、仕切られた各縦方向空間部において、下側位置に前記外気導入口を形成するとともに、上側位置に前記室内側換気口を形成してある請求項１記載の窓部における換気構造。
【請求項３】
前記縦方向空間内を高さ方向に適宜の間隔で区切る仕切り材は、室外側に向けて下り勾配となるように配置し、前記外気導入口は前記仕切り部材が方立の室外側壁面へ接合する位置の直上に形成してある請求項２記載の窓部における換気構造。
【請求項４】
前記開閉装置は、上部側位置を回動軸として開閉自在とされる内上げ式開閉扉である請求項１〜３いずれかに記載の窓部における換気構造。
【請求項５】
前記開閉装置は、一方側側部位置を回動軸として開閉自在とされる内開き式開閉扉である請求項１〜３いずれかに記載の窓部における換気構造。
【請求項６】
前記開閉装置は、上下方向にスライド可能に設けられたスライド式開閉扉である請求項１〜３いずれかに記載の窓部における換気構造。
【請求項７】
前記室内側換気口は方立側面に形成され、前記開閉装置は室内側位置に外気吹出口となるスリット状の開口溝を形成するように前記方立の側面に配置された換気用カバー材と、この換気用カバー材の内部に室内外方向にスライド可能に配置されるとともに、室内側換気口から室内に至る連通路を閉鎖する位置と、室内側換気口から前記スリット状開口溝までの流路を開放する位置との間でスライド制御される切換弁部材とから構成される請求項１，２いずれかに記載の窓部における換気構造。
【請求項８】
前記外気導入口の室外側に、空間を空けて外気の直接的流入を阻止する遮風部材を設け、前記外気導入口に至る通路を迂回させて形成してある請求項１〜７いずれかに記載の窓部における換気構造。
【発明の詳細な説明】
【技術分野】
【０００１】
本発明は、サッシやカーテンウォール等の窓部において、雨水等の浸入を確実に防止しながら、外気の導入を可能とした窓部における換気構造に関する。
【背景技術】
【０００２】
従来より、サッシやカーテンウォール等の窓部においては、外気を導入し換気を図るために換気装置を設けた構造が知られている。
【０００３】
例えば、カーテンウォールでは、下記特許文献１に示されるように、透明ガラスを嵌めた室内側障子と透明ガラスを嵌めた室外側障子とからなる二重窓構造のカーテンウォールにおいて、前記二重窓を囲む枠体のうち下枠および上枠の内部を前記二重窓の内側部分と導通させるとともに、これら下枠および上枠に室内側通気口および室外側通気口を設け、前記下枠および上枠の内部に、前記室内側通気口および室外側通気口の一方を選択的に閉塞し、他方を前記二重窓の内側部分と導通させる切換扉を備えたカーテンウォール窓構造が開示されている。
【０００４】
また下記特許文献２では、嵌め殺し窓下部のスパンドレル部に大気と室内を連通する吸気通路を室内側を大気側より高位置となる斜行状に形成し、吸気通路との室内側に円弧状断面の開閉材を吸気通路を開閉するように回動自在に枢着し、前記開閉材から室内にハンドルを突出させたカーテンウォール建物の換気装置が開示されている。
【０００５】
下記特許文献３では、上障子の下枠と下障子の上枠とによりこれらに囲まれた空間部を有する無目を構成し、その空間部を囲む室外側、室内側壁部に所定の開口比で開口部を設け、室内側開口部には雨水が直接吹き付けないようにしたサッシの換気装置が開示されている。
【０００６】
さらに下記特許文献４では、図２５に示されるように、カーテンウォール壁面を構成する外壁パネルと、それに高さ方向に隣接するサッシ枠６０の横枠６１との間に外気を導入する換気経路を形成した換気構造であって、前記横枠６１には、横枠６１の見込み幅より大きい見込み幅を持つ見込み片６２ａと見付け片６２ｂからなる水切り６２が横枠との間に間隔を隔てて接合されており、換気経路は横枠６１と水切り６２との間を通じ、室外から室内まで連通して形成されているカーテンウォールの換気構造が開示されている。
【特許文献１】特開２００３−３１４１５４号公報
【特許文献２】実開昭６０−８４６１７号公報
【特許文献３】実開昭５２−３４５５０号公報
【特許文献４】特開平９−１６５８５２号公報
【発明の開示】
【発明が解決しようとする課題】
【０００７】
しかしながら、上記特許文献１〜２に記載される換気装置は、下枠又は上枠部分等の横枠内部に室内外方向の換気経路を形成するとともに、この換気経路を開閉自在とする切換扉又は開閉材を設けるものであるが、下枠又は上枠の見付け寸法を大きく取る必要があるため、窓部の意匠的デザインが大きく制限を受けることになる。また、室外側に形成される外気導入口と室内側に形成される換気口との位置ヘッド差（高低差）を大きく取ることが困難であるため、室内側に雨水が浸入し易いなどの問題があった。
【０００８】
また、前記特許文献３に記載される換気装置も同様で、無目の見付け幅を大きく確保する必要があり、意匠的デザインが大きく制約を受けることになる。また、同文献では雨水が直接導入しないように邪魔壁を設けるようにしているが、室外側に形成される外気導入口と室内側に形成される換気口との高低差を大きく取ることが困難であるため、やはり室内側に雨水が浸入するおそれがあるなどの問題がある。
【０００９】
これらに対して、上記特許文献４に記載された換気構造は、サッシ枠６０の横枠６１に、サッシ枠６０と外壁パネル間で雨水の伝わりを防止する水切り６２を接合し、水切り６２を利用して室外から室内まで連通する換気経路を形成しているため、横枠６１に換気口を形成する必要がなく、意匠的デザインの制約が上記特許文献１〜３に比較すると少ないという利点を有するが、雨水の浸入を確実に防止するには、室外側に形成される外気導入口と室内側に形成される換気口との高低差を大きく取る必要があり、前記水切りの見付け片６２の高さ寸法をある程度大きくしなければならないとともに、前記見付け片６２を隠すために横枠６１の高さ寸法を同じ程度まで大きくする必要がある。
【００１０】
そこで本発明の主たる課題は、サッシやカーテンウォール等の窓部において、横枠の断面形状が構造的かつ意匠的に制約を受けることがないとともに、室外側に形成される外気導入口と室内側に形成される換気口との高低差を大きく取ることができ、雨水等の浸入を確実に防止し得る窓部における換気構造を提供することにある。
【課題を解決するための手段】
【００１１】
前記課題を解決するために請求項１に係る本発明として、左右方向に隣接するパネル間に配置される方立内部に縦方向の空間を画成し、前記縦方向空間を画成する室外側に外部空間と連通する外気導入口を形成するとともに、前記外気導入口よりも高い位置に室内空間と連通する室内側換気口を形成し、かつ前記室内側換気口又は室内側換気口から室内に至る連通路を開放又は閉鎖する開閉装置を設けたことを特徴とする窓部における換気構造が提供される。
【００１２】
上記請求項１記載の発明に係る換気構造は、換気経路として水平方向に隣接するパネルとパネルとの間に配設される方立の縦方向空間を利用するものである。具体的には、方立内部に縦方向の空間を画成し、前記縦方向空間を画成する室外側に外部空間と連通する外気導入口を形成するとともに、前記外気導入口よりも高い位置に室内空間と連通する室内側換気口を形成し、かつ前記室内側換気口又は室内側換気口から室内に至る連通路を開放又は閉鎖する開閉装置を設けるようにするものである。
【００１３】
本発明では、必要的構造部材として配置される方立の、縦方向に連続する内部空間を利用して換気用流路を形成することにより、横枠部材は何らの構造的及び意匠的制限を受けることが無くなるとともに、窓部デザインを自由に設計することが可能となる。また、方立の縦方向空間を利用するため、外気導入口と室内側換気口との間に十分な高低差を確保することが可能となるため、雨水の浸入を確実に防止できるようになる。
【００１４】
請求項２に係る本発明として、前記縦方向空間内を高さ方向に適宜の間隔で仕切るとともに、仕切られた各縦方向空間部において、下側位置に前記外気導入口を形成するとともに、上側位置に前記室内側換気口を形成してある請求項１記載の窓部における換気構造が提供される。
【００１５】
上記請求項２記載の発明は、方立内部の縦方向空間を適宜の間隔で仕切り、仕切られた各縦方向空間部において、下側位置に前記外気導入口を形成するとともに、上側位置に前記室内側換気口を形成するようにしたもので、前記仕切り部材によって仕切られた各縦方向空間毎に換気経路を形成することにより換気能力の増大が図れるようになる。
【００１６】
請求項３に係る本発明として、前記縦方向空間内を高さ方向に適宜の間隔で区切る仕切り材は、室外側に向けて下り勾配となるように配置し、前記外気導入口は、前記仕切り部材が方立の室外側壁面へ接合する位置の直上に形成してある請求項２記載の窓部における換気構造が提供される。
【００１７】
上記請求項３記載の本発明では、浸入した雨水が自然排水されるように、前記仕切り材は室外側に向けて下り勾配となるように傾斜状に配置し、前記外気導入口は、前記仕切り材が方立の室外側壁面へ接合する位置の直上に形成するようにしたものである。
【００１８】
請求項４に係る本発明として、前記開閉装置は、上部側位置を回動軸として開閉自在とされる内上げ式開閉扉である請求項１〜３いずれかに記載の窓部における換気構造が提供される。
【００１９】
請求項５に係る本発明として、前記開閉装置は、一方側側部位置を回動軸として開閉自在とされる内開き式開閉扉である請求項１〜３いずれかに記載の窓部における換気構造が提供される。
【００２０】
請求項６に係る本発明として、前記開閉装置は、上下方向にスライド可能に設けられたスライド式開閉扉である請求項１〜３いずれかに記載の窓部における換気構造が提供される。
【００２１】
請求項７に係る本発明として、前記室内側換気口は方立側面に形成され、前記開閉装置は室内側位置に外気吹出口となるスリット状の開口溝を形成するように前記方立の側面に配置された換気用カバー材と、この換気用カバー材の内部に室内外方向にスライド可能に配置されるとともに、室内側換気口から室内に至る連通路を閉鎖する位置と、室内側換気口から前記スリット状開口溝までの流路を開放する位置との間でスライド制御される切換弁部材とから構成される請求項１，２いずれかに記載の窓部における換気構造が提供される。
【００２２】
上記請求項４〜７記載の発明は、室内側換気口の開閉装置として採用可能な構造形式例を列記したものである。具体的には、前記開閉装置としては、例えば上部側位置を回動軸として開閉自在とされる内上げ式開閉扉、一方側側部位置を回動軸として開閉自在とされる内開き式開閉扉、上下方向にスライド可能に設けられたスライド式開閉扉、換気用カバー材及び切換弁部材とから成る構造等、種々の構造形式を採用することができる。
【００２３】
請求項８に係る本発明として、前記外気導入口の室外側に、空間を空けて外気の直接的流入を阻止する遮風部材を設け、前記外気導入口に至る通路を迂回させて形成してある請求項１〜７いずれかに記載の窓部における換気構造が提供される。
【００２４】
上記請求項８記載の本発明は、風雨時に外気導入口から直接的に雨水が浸入しないようにするため、前記外気導入口の室外側に、空間を空けて外気の直接的流入を阻止する遮風部材を設け、前記外気導入口に至る通路を迂回させて形成するようにしたものである。前記遮風部材としては、例えば方立の室外側面に設ける方立カバーや方立の室外側面から一体的に連設されたフランジ片などを挙げることができる。
【発明の効果】
【００２５】
以上詳説のとおり本発明によれば、サッシやカーテンウォール等の窓部において、換気経路としてパネルとパネルとの間に配設される方立の縦方向空間を利用するようにしたため、横枠の断面形状が構造的かつ意匠的な制約を受けることがないとともに、室外側に形成される外気導入口と室内側に形成される換気口との高低差を十分に確保することができるため、雨水等の浸入を確実に防止できるようになる。
【発明を実施するための最良の形態】
【００２６】
以下、本発明の実施の形態について図面を参照しながら詳述する。
〔第１形態例〕
図１は本換気構造を適用した横連窓の外観図、図２は横断面図（図１のII−II線矢視図）、図３は、縦断面図（図１のIII−III線矢視図）である。
【００２７】
図１〜図３に示される横連窓１は、横方向に長く形成された躯体開口部に対して、水平方向に適宜の間隔で方立２，２…を配設し、前記方立２，２…によって区切られた各空間部において、躯体開口上縁部に配設された上枠３、躯体開口下縁部に配設された下枠４、及び前記方立２の左右に配設された両側枠５，６によって形成された開口枠に対してガラスＧが支持された窓構造である。
【００２８】
前記方立２は、詳細には図４に示されるように、矩形中空状の方立本体２ａの室外側に、側方に突出するシール保持片２ｂ、２ｂを備えるとともに、一方側のシール保持片２ｂに室外側に突出するカバー係止片２ｃが形成され、かつ他方側のシール保持片２ｂに室外側に突出するカバー取付け片２ｄが形成され、前記方立本体２ａの室内側にはそれぞれ側方に突出して側方フランジ片２ｅ、２ｅが形成された断面形状を成している。
【００２９】
図示されるように、前記方立２のシール保持片２ｂと側方フランジ片２ｅとによって挟まれた空間には、側枠５，６が配設されビス１０によって固定されるとともに、内押縁７，８が室内側に取り付けられ、前記側枠５，６の室外側フランジ片と前記内押縁７，８とによって形成された凹状溝に２枚一組のガラスＧがバックアップ材１３及びシール材１４によって支持されている。
【００３０】
また、前記方立２の室外側には、空間を空けた状態で方立カバー９が取り付けられるようになっている。この方立カバー９は、裏面側に断面Ｌ字状の係合片９ａと、垂直フランジ片９ｂとを備え、前記係合片９ａを前記カバー係止片２ｃに係合させた状態で前記垂直フランジ片９ｂと前記カバー取付け片２ｄとに螺入されたビス１１によって、前記方立２に対して固定されている。
【００３１】
前記方立本体２ａの中空部Ｐ２内には、図６に示されるように、縦方向に適宜の間隔で押出し型材からなる仕切り材１５，１５…が配置され、複数の、図示例では４つの縦方向空間Ａ〜Ｄが形成されている。そして、各縦方向空間Ａ〜Ｄ領域部において、図６〜図８に示されるように、方立２の室外側壁面の下側位置に外気導入口２ｆが形成されるとともに、方立２の室内側壁面の上部位置に室内側換気口２ｇが形成されている。なお、前記仕切り材１５は室外側に向けて下り勾配となるように配置され、前記外気導入口２ｆは前記仕切り材１５が方立２の室外側壁面へ接合する位置の直上に形成することにより、侵入雨水を排水可能としてある。
【００３２】
また、前記方立カバー９部位では、図５及び図６に示されるように、縦方向に適宜の間隔位置で前記カバー係止片２ｃ（及び垂直フランジ片９ｂと前記カバー取付け片２ｄ）が矩形状に切り欠かれ、一次外気導入口２ｈ、２ｈ…が形成されており、この一次外気導入口２ｈ、２ｈ…及び方立カバー９の上下端面開口部を通して、方立２の室外側面と方立カバー９とによって画成された一次外気導入空間Ｐ１内に外気が導入され、次いで前記外気導入口２ｆ、２ｆ…より各縦方向空間Ａ〜Ｄ内に夫々外気が導入されるようになっている。
【００３３】
一方、前記方立２の室内側面には、図４及び図９に示されるように、方立２の長手方向に亘り、前記室内側換気口２ｇ、２ｇ…を開放又は閉鎖するための開閉装置１６が設けられている。前記開閉装置１６は、同図４に示されるように、矩形中空部の両側部に方立２側に延出する垂直フランジ片１６ａ、１６ａを有する断面形状を成す形材であり、前記矩形中空部には断熱材１７が充填されている。また、方立２の室内側面に形成された室内側換気口２ｇを跨ぐ両側には夫々固形シール材１８，１８が配設されている。前記開閉装置１６は、図９に示されるように、上端部が軸部材１９によって方立２に軸支され、前記軸部材１９を回動軸として内上げ方式により開閉可能となっており、閉状態で前記室内側換気口２ｇ、２ｇ…を塞ぎ、開状態で前記室内側換気口２ｇ、２ｇ…を開放するようになっている。なお、前記開閉装置１６の下端には平面ラッチ２０が設けられ、閉状態では方立２との間に隙間が生じないように密着状態で施錠されるようになっている。
かかる横連窓１においては、前記開閉装置１６を開操作し、方立２の室内側面に形成された各室内側換気口２ｇ、２ｇ…を開放すると、図９に示されるように、一次外気導入口２ｈ、２ｈ或いは方立カバー９の上下端面開口部を通して、方立２の室外側面と方立カバー９とによって画成された一次外気導入空間Ｐ１内に外気が導入されるとともに、方立２の室外側面に形成された各外気導入口２ｆ、２ｆより方立２の各縦方向空間Ａ〜Ｄ内に外気が導入される。そして、縦方向空間Ａ〜Ｄを上昇した外気は、方立２の室内側面に形成された各室内側換気口２ｇ、２ｇ…より室内側に導入される。
【００３４】
（他の形態例）
(1)上記第１形態例では、方立中空部Ｐ２内を縦方向空間Ａ〜Ｄに仕切るのに押出し型材からなる仕切り材１５を使用したが、前記仕切り材１５としては、図１０に示されるように、天然ゴム又は合成ゴム等のゴム材２１を使用することができる。
(2)上記第１形態例では、室内側換気口２ｇ、２ｇ…を開放／閉鎖するための開閉装置装置１６として、内上げ式開閉扉構造を採用したが、図１１に示されるように、一方側側部を回動軸として水平方向に開閉自在とされる内開き式開閉扉２２としてもよい。更には、図１２に示されるように、上下方向にスライド可能に設けられたスライド式開閉扉２３としてもよい。
(3)上記第１形態例では、複数の室内側換気口２ｇ，２ｇ…を１回の操作で開放又は閉鎖する開閉装置の例を示したが、各室内側換気口２ｇ，２ｇ…は個別に開放又は閉鎖操作する開閉装置とすることも可能である。
【００３５】
〔第２形態例〕
次に、図１３〜図１７に基づき、本換気構造をカーテンウォールに適用した第２形態例について述べる。
カーテンウォール２８は、図１３に示されるように、実質的に縦枠となる左右両側の分割方立２９、３０と、上枠３１と、下枠３２とによって方形枠が構成されるとともに、中間に配設された水平桟材３３によって開口部が上下２段に分割して形成され、これらの各開口部に対してガラスＧ、Ｇが嵌め込まれている。
【００３６】
前記分割方立２９，３０は、図１５に示されるように、左右に隣接する半割構造の方立が組み合わされることにより、断面略矩形状の方立が構成されるようにしたものであり、一方側の分割方立２９は、室内側寄り位置に分割方立３０側に向けて突出する段状断面の室内側突出片２９ａを有するとともに、中間部にも同様に、分割方立３０側に向けて突出する段状断面の中間部突出片２９ｂを有し、かつ室外側寄り位置に断面Ｌ字状のガラス支持用突出片２９ｃを有し、押縁３４が取り付けられることにより内方側に向けて凹状のガラス嵌合溝Ｍが形成される。
【００３７】
一方、前記他方側の分割方立３０は、室内側寄り位置に分割方立２９側に向けて突出するシール保持片３０ａを有するとともに、中間部にも同様に、一方側分割方立２９側に向けて突出するシール保持片３０ｂを有し、かつ室外側寄り位置に断面Ｌ字状のガラス支持用突出片３０ｃを有し、押縁３５が取り付けられることにより内方側に向けて凹状のガラス嵌合溝Ｍが形成される。
【００３８】
前記分割方立２９と分割方立３０とは、左右方向にパネル枠が隣接配置された状態では、前記分割方立２９の室内側突出片２９ａ及び中間部突出片２９ｂと、前記分割方立３０のシール保持片３０ａ、３０ｂとが重なるように配置され、前記シール保持片３０ａ、３０ｂによって保持された固形シール３６，３７によって気水密性が保持されるようになっているとともに、ガラス嵌合溝Ｍ、Ｍを形成している室外側寄り位置では、縦方向に沿ってスリット状の溝が形成され、前記分割方立２９と分割方立３０とによって囲まれた内部空間が外部と連通する状態となっている。
【００３９】
上記カーテンウォール２８に対して本換気構造を適用するには、前記分割方立２９と分割方立３０とによって囲まれた内部空間内であって、前記分割方立２９の中間部突出片２９ｂと、分割方立３０のシール保持片３０ｂとによる仕切り壁の室外側部分に仕切り枠３８を配設し、縦方向に連続する縦方向空間Ｐを画成する。
【００４０】
前記仕切り枠３８は、仕切り枠本体３８ａの室外側面に半円弧状断面部材を水平方向に並列した突出片３８ｂを一体的に備えた断面形状を成し、図１６に示されるように、前記仕切り枠３８の内部には、縦方向に所定の間隔で仕切り材３９、３９…が配置され、前記縦方向空間Ｐが各縦方向空間Ａ、Ｂ…に仕切られている。前記仕切り材３９，３９…によって仕切られた各縦方向空間Ａ，Ｂ…においては、その下側部分に前記仕切り枠本体３８ａの室外側面及び突出片に跨るＴ字状に切り欠きが形成され、外気導入口３８ｃが形成されているとともに、その上側部分に分割方立２９の側面部に矩形状の開口が形成され換気口２９ｄが形成されている。
【００４１】
また、前記分割方立２９の側面には、前記換気口２９ｄ、２９ｄ…を開放又は閉鎖するための開閉装置４０が設けられている。この開閉装置４０は、一方側側部に設けられた支軸４１を回動軸として水平方向に開閉自在とされる内開き式の開閉扉であり、前記開閉装置４０を開操作し、分割方立２９の側面に形成された換気口２９ｄ、２９ｄ…を開放すると、同図１５及び図１７に示されるように、分割方立２９と分割方立３０との間に形成された縦方向のスリット溝から一次外気導入空間Ｐ１に外気が導入された後、外気導入口３８ｃを通り各縦方向空間Ａ、Ｂ…内に外気が導入される。そして、縦方向空間Ａ、Ｂ…を上昇した外気は、分割方立２９の側面に形成された各換気口２９ｄ、２９ｄ…より室内側に導入される。
（他の形態例）
(1)上記第２形態例では、開閉装置４０として内開き方式開閉扉を採用したが、内上げ方式開閉扉又はスライド開閉扉としてもよい。
【００４２】
〔第３形態例〕
次に、図１８〜図２２に基づき、本換気構造をカーテンウォールに適用した場合の第３形態例について述べる。
カーテンウォール構造は、図１８に示されるように、実質的に縦枠となる左右両側の分割方立４０，４１と、上枠４２と、下枠４３とによって方形枠が構成されるとともに、中間に配設された水平桟材４４によって開口部が上下２段に分割して形成され、これらの各開口部に対してガラスＧ、Ｇが嵌め込まれている。
【００４３】
前記分割方立４０，４１は、詳細には図２０に示されるように、左右に隣接する半割構造の方立が組み合わされることにより、断面略矩形状の方立が構成されるようにしたものであり、一方側の分割方立４０は、室内側寄り位置に分割方立４１側に向けて突出する段状断面の室内側突出片４０ａを有するとともに、中間部にも同様に、分割方立４１側に向けて突出する段状断面の中間部第１突出片４０ｂと、この中間部突出片４０ｂよりも室外側寄り位置に他方側分割方立４１側に向けて突出する中間部第２突出片４０ｃを有し、かつ室外側寄り位置に断面Ｌ字状のガラス支持用突出片４０ｄを有する。そして、押縁４５が取り付けられることにより内方側に向けて凹状のガラス嵌合溝Ｍが形成される。
【００４４】
一方、前記他方側の分割方立４１は、室内側寄り位置に分割方立４０側に向けて突出するシール保持片４１ａを有するとともに、中間部にも同様に、分割方立４０側に向けて突出するシール保持片４１ｂと、このシール保持片４１ｂよりも室外側寄り位置に他方側分割方立４０側に向けて突出する中間部第２突出片４１ｃを有し、かつ室外側寄り位置に断面Ｌ字状のガラス支持用突出片４１ｄを有する。そして、押縁４６が取り付けられることにより内方側に向けて凹状のガラス嵌合溝Ｍが形成される。
【００４５】
前記分割方立４０と分割方立４１とは、左右方向にパネル枠が隣接配置された状態では、前記分割方立４０の室内側突出片４０ａ及び中間部第１突出片４０ｂと、前記分割方立４１のシール保持片４１ａ、４１ｂとがそれぞれ重なるように配置され、前記シール保持片４１ａ、４１ｂによって保持された固形シール４７，４８によって気水密性が保持されるようになっているとともに、分割方立４０の中間部第２突出片４０ｃと、分割方立４１の中間部第２突出片４１ｃとが間隔を空けて対向し、縦方向に沿ってスリット状の溝５２が形成されるようになっている。また、ガラス嵌合溝Ｍ、Ｍを形成している室外側寄り位置でも縦方向に沿ってスリット状の溝が形成され、前記分割方立４０と分割方立４１とによって囲まれた内部空間が外部と連通する状態となっている。
【００４６】
上記カーテンウォール構造に対して本換気構造を適用するには、前記分割方立４０と分割方立４１とによって囲まれた内部空間内に、図示例では分割方立４０側で言えば、中間部第１突出片４０ｂと中間部第２突出片４０ｃの間の空間内に、長手通しで断面略Ｌ字状の仕切り枠４９を配設するとともに、この仕切り枠４９と中間部第２突出片４０ｃ、４１ｃとの間の空間にシーリング材５４を充填することにより、縦方向に連続する縦方向空間Ｐを画成する。
【００４７】
前記縦方向空間Ｐには、図２１にも示されるように、所定の間隔で仕切り材５０、５０…が配設され、前記縦方向空間Ｐが各縦方向空間Ａ、Ｂ…に仕切られている。前記仕切り材５０，５０…によって仕切られた各縦方向空間Ａ、Ｂ…においては、その下側部分に前記仕切り枠４９の室内側面に開口が形成され外気導入口４９ａが形成されるとともに、その上部側であって分割方立４０，４１の側面に第１換気口４０ｅ（４１ｅ）が形成されている。前記仕切り材５０の配設部位には、浸入雨水を排出するために、キャッチパン５１が設けられている。このキャッチパン５１は、図示例ではシリコンスポンジからなる材料が用いられ、外側に向けて下り勾配とされ、浸入雨水を外部に排出可能となっている。
【００４８】
前記第１換気口４０ｅ（４１ｅ）からの外気導入をオンオフ制御するために、前記分割方立４０，４１の側面に開閉装置５５が設けられている。前記開閉装置５５は、室内側位置に外気吹出口となるスリット状の開口溝５８（以下、第２換気口５８という。）を形成するように、前記分割方立４０，４１の側面に配置された長手通しの換気用カバー材５６と、この換気用カバー材５６の内部に室内外方向にスライド可能に配置されるとともに、第１換気口４０ｅ（４１ｅ）から第２換気口５８に至る連通路（換気カバー材５６の内部通路）を閉鎖する位置と、第１換気口４０ｅ（４１ｅ）から前記スリット状開口溝５８までの流路を開放する位置との間でスライド制御される長手通しの切換弁部材５７とから構成される。
【００４９】
より具体的には、前記切換弁部材５７は、室内側に開口を向けて配置された断面コ字状の部材であり、分割方立４０，４１側の面においては、その室外側と室内側とに２列配置でエアタイト材５９ａ、５９ａを保持するとともに、前記エアタイト材５９ａ、５９ｂ間の中間壁面であって、かつ前記第１換気口４０ｅ（４１ｅ）に対応する高さ位置に換気連通用開口５７ａが形成されている、また、前記換気用カバー材５６側の面においては、その室外側と室内側とに２列配置でエアタイト材５９ａ、５９ｂを保持している。
従って、図２２(A)に示されるように、前記切換弁部材５７を換気用カバー材５６内において室内側にスライドさせた場合には、第１換気口４０ｅ（４１ｅ）から第２換気口５８に至る連通路が閉鎖され、外気導入が停止される。また、図２２(B)に示されるように、前記切換弁部材５７の換気連通用開口５７ａを方立４０，４１の第１換気口４０ｅ（４１ｅ）に対面する位置にスライドさせた場合には、外気が方立４０，４１の第１換気口４０ｅ（４１ｅ）及び換気連通用開口５７ａを通して第２換気口５８に至る流路が開放され、外気が室内に導入されるようになる。
【００５０】
（他の形態例）
(1)上記第３形態例では、開閉装置５５に関して、換気用カバー材５６の室内側面からのみ外気を導入可能としたが、例えば、図２３に示されるように、切替弁部材５７の分割方立４０，４１側の面においては、その室外側、室内側及び中間部に３列配置でエアタイト材５９ａ、５９ａ…を保持するようにするとともに、エアタイト材５９ａ、５９ａで挟まれた一方側中間壁面に換気連通用開口５７ａを形成し、かつ換気用カバー材５６の外面側に第３換気口５６ａを形成すると、図２４(A)に示される状態では外気導入を停止し、図２４(B)に示されるように、前記切換弁部材５７の換気連通用開口５７ａを方立４０，４１の第１換気口４０Ｅ（４１ｅ）に対面する位置にスライドさせた場合には、外気が方立４０，４１の第１換気口４０ｅ（４１ｅ）及び換気連通用開口５７ａを通して第２換気口５８に至る流路が開放され、外気が室内に導入されるようになり、図２４(C)に示されるように、切替弁部材５７を最も室内側に移動させた状態では第１換気口４０ｅ（４１ｅ）から第３換気口５６ａに至る流路が開放され外気を方立の側面から取り入れ可能となる。
【図面の簡単な説明】
【００５１】
【図１】本換気構造の第１形態例を適用した横連窓の外観図である。
【図２】図１のII−II線矢視図である。
【図３】図１のIII−III線矢視図である。
【図４】方立２の横断面図（図１のIV−IV線矢視図）である。
【図５】方立２の要部縦断面図である。
【図６】方立２の側面図である。
【図７】方立２の室外側からの視図（図６のVII−VII線矢視図）である。
【図８】方立２の室内側からの視図（図６のVIII−VIII線矢視図）である。
【図９】室内側換気口２ｇ、２ｇ…の開放状態及び外気流入経路を示す方立側面図である。
【図１０】仕切り材の変形例を示す要部拡大側面図である。
【図１１】開閉装置の変形例を示す方立横断面図である。
【図１２】開閉装置の変形例を示す方立横断面図である。
【図１３】本換気構造の第２形態例を適用したカーテンウォール構造の外観図である。
【図１４】図１３のXIV-XIV線矢視図である。
【図１５】図１３のXV-XV線矢視図である。
【図１６】外気流入経路を示す側面図である。
【図１７】外気流入経路を示す斜視図である。
【図１８】本換気構造の第３形態例を適用したカーテンウォール構造の外観図である。
【図１９】図１８のXIX-XIX線矢視図である。
【図２０】方立部の拡大断面図である。
【図２１】方立部の拡大縦断面図（図２０のXXI-XXI線矢視図）である。
【図２２】切換弁部材５７の作動による、(A)は換気停止モード図、(B)は外気導入モード図である。
【図２３】切換弁部材５７’の変形例を示す方立部の拡大断面図である。
【図２４】切換弁部材５７’の作動状態を示す換気停止及び外気導入状態図である。
【図２５】従来の換気装置を示す要部縦断面図である。
【符号の説明】
【００５２】
１…横連窓、２…方立、２ｆ…外気導入口、２ｇ…室内側換気口、２ｈ…一次外気導入口、３…上枠、４…下枠、５・６…側枠、７・８…内押縁、９…方立カバー、１５・２１…仕切り材、１６・２２・２３…開閉装置、Ａ〜Ｄ…縦方向空間、Ｐ１…一次外気導入空間、Ｐ２…方立中空部、２８…カーテンウォール、２９・３０…分割方立、２９ｄ…換気口、３１…上枠、３２…下枠、３３…水平桟材、３８…仕切り枠、３８ｃ…外気導入口、３９…仕切り材、４０…開閉装置、Ｇ…ガラス、４０・４１…分割方立、４２…上枠、４３…下枠、４４…水平桟材、４９…仕切り枠、５０…仕切り材、４０ｅ・４１ｅ…第１換気口、５５…開閉装置、５６…換気用カバー材、５７・５７’…切換弁部材、５７ａ…換気連通用開口、５８…第２換気口、５６ａ…第３換気口
【図１】
2006316606.tif 000003
【図２】
2006316606.tif 000004
【図３】
2006316606.tif 000005
【図４】
2006316606.tif 000006
【図５】
2006316606.tif 000007
【図６】
2006316606.tif 000008
【図７】
2006316606.tif 000009
【図８】
2006316606.tif 000010
【図９】
2006316606.tif 000011
【図１０】
2006316606.tif 000012
【図１１】
2006316606.tif 000013
【図１２】
2006316606.tif 000014
【図１３】
2006316606.tif 000015
【図１４】
2006316606.tif 000016
【図１５】
2006316606.tif 000017
【図１６】
2006316606.tif 000018
【図１７】
2006316606.tif 000019
【図１８】
2006316606.tif 000020
【図１９】
2006316606.tif 000021
【図２０】
2006316606.tif 000022
【図２１】
2006316606.tif 000023
【図２２】
2006316606.tif 000024
【図２３】
2006316606.tif 000025
【図２４】
2006316606.tif 000026
【図２５】
2006316606.tif 000027